(57)【要約】【課題】掘削物の脱落を防止できかつ掘削作業時に抵抗を受け難い作業装置を提供する。【解決手段】可動的に設けた作業腕部材17の先端部に掘削用のバケット18の開口の基端部19を回動可能に取付ける。作業腕部材17の先端部のやや上側の側面に掘削物脱落防止体20が、バケット18の開口の基端部19から離間する開放方向およびバケット18の開口の基端部19へ接近する閉じ方向に回動可能に軸支する。このように、作業装置14に掘削物脱落防止体20が設けられたことで、バケット18内に掘削物が盛り上がった状態であっても、掘削物脱落防止体20によって、バケット18から作業腕部材17方向への掘削物の脱落を防止し、さらに、掘削時には、掘削物脱落防止体20が開放方向へ回動するので、掘削物脱落防止体20が抵抗を受け難くなる。【選択図】図１
2009057796.tif 000002
【特許請求の範囲】
【請求項１】
可動的に設けられた作業腕部材と、
作業腕部材の先端部に開口の基端部が回動可能に取付けられた掘削用のバケットと、
バケットの開口の基端部から離間する開放方向およびバケットの開口の基端部へ接近する閉じ方向に回動可能に軸支された掘削物脱落防止体と
を具備したことを特徴とする作業装置。
【請求項２】
掘削物脱落防止体は、
バケットの開口の基端部へ接近する閉じ方向に付勢された
ことを特徴とする請求項１記載の作業装置。
【請求項３】
下部走行体と、
この下部走行体に対して旋回可能な上部旋回体と、
この上部旋回体に設けられた請求項１または２記載の作業装置と
を具備したことを特徴とする作業機械。
【発明の詳細な説明】
【技術分野】
【０００１】
掘削作業用の作業装置およびこの作業装置が設けられた作業機械に関する。
【背景技術】
【０００２】
油圧ショベル等の作業機械には、ブームやアーム等からなる作業腕部材と掘削用のバケットとから形成される作業装置が設けられている。
【０００３】
このような作業機械において、例えば土砂や泥等のように塊状になり難い掘削物を掘削する際には、図６に示されるように、バケット１内に掘削物２が盛り上がった状態で作業装置３を旋回させて掘削物２を運搬する。しかし、このような旋回時では、図７に示されるように、作業装置３の旋回に伴って掘削物２がバケット１のアーム４側から零れるように脱落してしまうことが多い。
【０００４】
このように、掘削物２を掘削して作業装置３を旋回させる際に掘削物２がバケット１から脱落してしまうと、作業効率が低下するとともに、このバケット１から脱落した掘削物２の処理を行う必要があり、作業が煩雑になってしまう。
【０００５】
そして、作業装置におけるバケットの開口部の基端部の上側で、アームの先端部の側面に着脱可能な土砂漏れ防止プレートを取付け、この土砂漏れ防止プレートによってバケットからアーム方向へ零れる掘削物せき止めて、掘削物のバケットからの脱落を防止した作業装置が知られている（例えば、特許文献１参照。）。
【特許文献１】実開平６−１８４６３号公報（第２−８頁、図１）
【発明の開示】
【発明が解決しようとする課題】
【０００６】
しかしながら、特許文献１の作業装置では、土砂漏れ防止プレートを取付けて掘削作業をすると、掘削作業時に土砂漏れ防止プレートが抵抗を受け易くなり、作業装置への負荷が大きくなる。したがって、作業装置の作業効率が悪化するとともに、作業装置が損傷し易くなるという問題が考えられる。
【０００７】
本発明はこのような点に鑑みなされたもので、掘削物の脱落を防止できかつ掘削作業時に抵抗を受け難い作業装置を提供する。
【課題を解決するための手段】
【０００８】
請求項１に記載された発明は、可動的に設けられた作業腕部材と、作業腕部材の先端部に開口の基端部が回動可能に取付けられた掘削用のバケットと、バケットの開口の基端部から離間する開放方向およびバケットの開口の基端部へ接近する閉じ方向に回動可能に軸支された掘削物脱落防止体とを具備した作業装置である。
【０００９】
請求項２に記載された発明は、請求項１に記載された作業装置において、掘削物脱落防止体は、バケットの開口の基端部へ接近する閉じ方向に付勢されたものである。
【００１０】
請求項３に記載された発明は、下部走行体と、この下部走行体に対して旋回可能な上部旋回体と、この上部旋回体に設けられた請求項１または２記載の作業装置とを具備した作業機械である。
【発明の効果】
【００１１】
請求項１に記載された発明によれば、バケットの開口の基端部から離間する開放方向およびバケットの開口の基端部へ接近する閉じ方向に、回動可能に軸支された掘削物脱落防止体が設けられたことにより、作業装置を旋回させた場合でもバケットからの掘削物の脱落を防止できる。
【００１２】
さらに、掘削作業時に掘削物脱落防止体が開放方向に回動できるので、掘削物脱落防止体が抵抗を受け難くなる。
【００１３】
請求項２に記載された発明によれば、掘削物脱落防止体が、バケットの開口の基端部へ接近する閉じ方向へ付勢されたことにより、掘削物脱落防止体の掘削物脱落防止効果を向上できる。
【００１４】
請求項３に記載された発明によれば、作業機械に、掘削物脱落防止体を備えた作業装置が設けられたことにより、掘削物の脱落を防止でき、掘削作業時に作業装置が抵抗を受け難いので、掘削作業時の作業効率を向上できる。
【発明を実施するための最良の形態】
【００１５】
以下、本発明の一実施の形態の構成を図１乃至５を参照しながら詳細に説明する。
【００１６】
図１は、作業機械としての油圧ショベル11を示し、この油圧ショベル11は、下部走行体12と、この下部走行体12に対して旋回可能な上部旋回体13と、この上部旋回体13の前方部に設けられた作業装置14とを備えている。また、上部旋回体13上には、キャブ15や動力装置16等が設置されている。
【００１７】
作業装置14は、上部旋回体13の前方部に可動的に設けられた作業腕部材17が取付けられ、作業腕部材17の先端部に掘削用のバケット18の開口の基端部19が回動可能に取付けられ、作業腕部材17の先端部のやや上側に掘削物脱落防止体20が、バケット18の開口の基端部19から離間する開放方向およびバケット18の開口の基端部19へ接近する閉じ方向に回動可能に軸支されている。
【００１８】
作業腕部材17は、ブーム23とアーム24とが回動可能に軸連結されて形成され、ブーム23はブームシリンダ25により、アーム24はアームシリンダ26によりそれぞれ回動可能となっている。
【００１９】
また、バケット18は、アーム24の先端部にバケット18の開口の基端部19が軸連結され、バケットリンケージ27を介してバケットシリンダ28により回動可能となっている。
【００２０】
掘削物脱落防止体20は、図２に示されるように、作業腕部材17のアーム24の先端部の両側面部に、軸支部材29を介して回動可能に軸支され、作業腕部材17の回動に伴って、掘削物脱落防止体20の自重によって回動される。
【００２１】
掘削物脱落防止体20を回動可能に支持する軸支部材29は、例えばヒンジ等を用いることにより回動可能に軸支している。
【００２２】
また、掘削物脱落防止体20の下側縁部のアーム24側には、掘削物脱落防止体20が回動した際に、掘削物脱落防止体20とバケットリンケージ27とが干渉しないように干渉防止溝30が設けられている。
【００２３】
そして、作業装置14の掘削作業時は、図３に示されるように、作業腕部材17のアーム24の先端部に設けられた掘削物脱落防止体20が、土圧により、バケット18の開口の基端部19から離間する開放方向へ回動して、掘削物脱落防止体20が抵抗を受けずに、掘削作業の妨げにならない状態となる。
【００２４】
また、作業装置14の移動時等は、図４および図５に示されるように、掘削物脱落防止体20がバケット18の開口の基端部19へ接近する閉じ方向に回動して、バケット18に満載された掘削物31のアーム24方向への脱落を防止する。
【００２５】
掘削物脱落防止体20は、バケット18の開口へ接近する閉じ方向に付勢されたことにより、掘削物脱落防止体20の開放方向への回動を抑制できるので、掘削物脱落防止体20の掘削物31の脱落防止効果を向上できるので好ましい。
【００２６】
なお、掘削物脱落防止体20を閉じ方向に付勢する方法は、例えば掘削物脱落防止体20の重心よりバケット18側の上部に軸支部材29を設けることで、自重により、掘削物脱落防止体20をバケット18側へ付勢している。
【００２７】
また、軸支部材29に例えばスプリング等を設けることによって、掘削物脱落防止体20をバケット18側へ付勢してもよい。
【００２８】
次に、上記の実施の形態の作用および効果を説明する。
【００２９】
作業腕部材17の先端部に掘削用のバケット18が設けられた作業装置14を具備する油圧ショベル11によって、例えば土砂や泥等の掘削物31の掘削作業をする際は、図３のように、バケット18によって掘削物を掘り出すように掘削し、図４および図５のように、バケット18内に掘削物31が盛り上がった状態で作業装置14を旋回させて、掘削物を運搬する。
【００３０】
この際、バケット18内に盛り上がった状態の掘削物31は、バケット18のアーム24側から脱落し易い状態になるが、作業装置14の作業腕部材17のアーム24の先端部の両側面部に掘削物脱落防止体20が設けられたことにより、この掘削物脱落防止体20によって掘削物31をせき止めることができ、バケット18からの掘削物31の脱落を抑えることができる。
【００３１】
さらに、掘削物脱落防止体20は、バケット18の開口の基端部19から離間する開放方向およびバケット18の開口の基端部19へ接近する閉じ方向に回動可能に軸支されたことにより、図３のように、掘削作業時に掘削物脱落防止体20が開放方向へ回動できるので、掘削物脱落防止体20が掘削作業時に抵抗を受け難くなる。
【００３２】
掘削物脱落防止体20は、回動可能に軸支され、掘削物脱落防止体20の自重のみで掘削物31の脱落を防止しているので、バケット18を掘削物31で満載にして作業装置14を旋回させると、掘削物脱落防止体20が開放方向に回動してしまい、掘削物31がバケット18から脱落するおそれがある。
【００３３】
そこで、掘削物脱落防止体20が、バケット18の開口の基端部19に接近する閉じ方向に付勢されたことにより、掘削物脱落防止体20の開放方向への回動を抑制できるので、掘削物脱落防止体20の掘削物31の脱落防止効果を向上できる。
【００３４】
このように、掘削物脱落防止体20が設けられた作業装置14を備える油圧ショベル11では、掘削作業時のバケット18からの掘削物31の脱落を防止できるので、作業効率を向上できる。
【００３５】
また、掘削物脱落防止体20が回動可能であることにより、掘削作業時に作業装置14が抵抗を受け難いので、作業効率が向上できるとともに損傷を抑制できる。
【図面の簡単な説明】
【００３６】
【図１】本発明に係る作業機械の一実施の形態を示す側面図である。
【図２】本発明に係る作業装置の掘削物脱落防止体を示す斜視図である。
【図３】同上作業装置を示す側面図である。
【図４】同上作業装置を示す側面図である。
【図５】同上作業装置を示す斜視図である。
【図６】従来の作業装置を示す側面図である。
【図７】従来の作業装置を示す斜視図である。
【符号の説明】
【００３７】
11    作業機械としての油圧ショベル
12    下部走行体
13    上部旋回体
14    作業装置
17    作業腕部材
18    バケット
19    基端部
20    掘削物脱落防止体
【図１】
2009057796.tif 000003
【図２】
2009057796.tif 000004
【図３】
2009057796.tif 000005
【図４】
2009057796.tif 000006
【図５】
2009057796.tif 000007
【図６】
2009057796.tif 000008
【図７】
2009057796.tif 000009